(57)【特許請求の範囲】
【請求項１】
測定対象者の摂取食品の栄養量の入力を検出する入力部と、
標本期間を設定する制御部と、
前記標本期間中に前記入力部に検出された前記栄養量に基づく前記摂取食品の糖質量を積算して、積算糖質量を算出する第１の演算部と、
前記測定対象者の身体の体動を検出する体動センサと、
前記体動センサが検出した体動に基づいて、前記測定対象者の消費カロリーを算出する第２の演算部と、
前記第２の演算部に算出される前記標本期間中の消費カロリーを積算して、積算消費カロリーとして算出する第３の演算部と、
前記積算糖質量から前記積算消費カロリーを減じることによりエネルギー収支を算出する比較部と、
前記エネルギー収支が正である場合には脂肪の燃焼の開始までに消費する必要のあるエネルギーを報知し、前記エネルギー収支が負である場合には脂肪の燃焼に用いられたエネルギーを報知する報知部とを備える
ことを特徴とする報知システム。
【請求項２】
請求項１に記載の報知システムにおいて、前記制御部は、前記比較部により算出されたエネルギー収支が正であるか否かを判別することを特徴とする報知システム。
【請求項３】
請求項１または２に記載の報知システムにおいて、
前記比較部により算出される前記エネルギー収支を記憶する第１のメモリを備え、
前記比較部は、前記標本期間毎に、前記エネルギー収支を算出し、前記第１のメモリに記憶させ、
前記報知部は、前記標本期間毎に算出された前記エネルギー収支を前記第１のメモリから読出し、別々に報知する
ことを特徴とする報知システム。
【請求項４】
請求項１〜請求項３のいずれか１項に記載の報知システムにおいて、前記入力部による前記栄養量の入力の検出時期が前記標本期間の始期に定められることを特徴とする報知システム。
【請求項５】
請求項１〜請求項３のいずれか１項に記載の報知システムにおいて、前記入力部は前記標本期間の始期を設定する入力を検出することを特徴とする報知システム。
【請求項６】
請求項１〜請求項５のいずれか１項に記載の報知システムにおいて、前記入力部は、前記栄養量として前記摂取食品の糖質量を検出可能であることをと特徴とする報知システム。
【請求項７】
請求項１〜請求項６のいずれか１項に記載の報知システムにおいて、
様々な食品の種類と、前記食品の種類毎の摂取量に対する糖質量の比である糖質比とを予め記憶させた第２のメモリを備え、
前記入力部は、前記栄養量として、前記摂取食品の種類と、前記摂取食品の摂取量および摂取カロリーの少なくとも一方とを検出可能であり、
前記第１の演算部は、前記入力部が検出した前記摂取食品の種類に対応する前記糖質比を前記第２のメモリから読出し、前記摂取量および前記接種カロリーの少なくとも一方と前記糖質比とに基づいて前記摂取食品の糖質量を算出する
ことを特徴とする報知システム。
【請求項８】
請求項１〜請求項７のいずれか１項に記載の報知システムにおいて、前記報知部は報知内容を画像で表示するモニタを含むことを特徴とする報知システム。
【請求項９】
請求項１〜請求項８のいずれか１項に記載の報知システムにおいて、前記報知部は報知内容を音声で発するスピーカを含むことを特徴とする報知システム。
【請求項１０】
請求項１〜請求項９のいずれか１項に記載の報知システムにおいて、前記比較部による比較の実行間隔は調整可能であることを特徴とする報知システム。
【請求項１１】
請求項１０に記載の報知システムにおいて、前記入力部では、前記摂取食品の種類を検出可能であり、前記比較部による比較の実行間隔は前記摂取食品の種類によって調整されることを特徴とする報知システム。
【請求項１２】
請求項１〜請求項１１のいずれか１項に記載の報知システムを備える活動量計。
【発明の詳細な説明】
【技術分野】
【０００１】
本発明は、健康維持活動を支援する報知システムおよび活動量計に関する。
【背景技術】
【０００２】
従来、ユーザのダイエット活動を支援する様々な健康支援器が提案されている。例えば、摂取カロリーの累計と消費カロリーの累計を比較し、比較結果に基づいて健康管理を支援するための情報を提供する機器が提案されている（特許文献１、２参照）。
【先行技術文献】
【特許文献】
【０００３】
【特許文献１】特開平６−３０４２７６号公報
【特許文献２】特開２００８−２９５７４６号公報
【発明の概要】
【発明が解決しようとする課題】
【０００４】
このような健康支援の情報は、主に脂肪の燃焼による体重の減量のために用いられる。生体を活動させるためのエネルギー源には脂肪の他に糖質がある。一般的には、糖質が先に燃焼され、次の脂肪の燃焼が始まる。それゆえ、ユーザにとっては現在の消費カロリーが糖質および脂肪のいずれの燃焼によるのかが把握できなかった。
【０００５】
従って、上記のような問題点に鑑みてなされた本発明では、ユーザのエネルギー燃焼状態を報知する報知システムおよび活動量計の提供を目的とする。
【課題を解決するための手段】
【０００６】
上述した諸課題を解決すべく、本発明による報知システムは、
測定対象者の摂取食品の栄養量の入力を検出する入力部と、
標本期間を設定する制御部と、
標本期間中に入力部に検出された栄養量に基づく摂取食品の糖質量を積算して、積算糖質量を算出する第１の演算部と、
測定対象者の身体の体動を検出する体動センサと、
体動センサが検出した体動に基づいて、測定対象者の消費カロリーを算出する第２の演算部と、
第２の演算部に算出される標本期間中の消費カロリーを積算して、積算消費カロリーとして算出する第３の演算部と、
積算糖質量から積算消費カロリーを減じることによりエネルギー収支を算出する比較部と、
エネルギー収支が正である場合には脂肪の燃焼の開始までに消費する必要のあるエネルギーを報知し、エネルギー収支が負である場合には脂肪の燃焼に用いられたエネルギーを報知する報知部とを備える
ことを特徴とするものである。
【０００７】
また、本発明の報知システムにおいて、制御部は、比較部により算出されたエネルギー収支が正であるか否かを判別することを特徴とする。
【０００８】
また、本発明の報知システムにおいて、比較部により算出されるエネルギー収支を記憶する第１のメモリを備え、
比較部は、標本期間毎に、エネルギー収支を算出し、第１のメモリに記憶させ、
報知部は、標本期間毎に算出されたエネルギー収支を第１のメモリから読出し、別々に報知する
ことを特徴とする。
【０００９】
また、本発明の報知システムにおいて、入力部による栄養量の入力の検出時期が標本期間の始期に定められることを特徴とする。あるいは、本発明の報知システムにおいて、入力部は前記標本期間の始期を設定する入力を検出することを特徴とする。
【００１０】
また、本発明の報知システムにおいて、入力部は、栄養量として摂取食品の糖質量を検出可能であることをと特徴とする。
【００１１】
また、本発明の報知システムにおいて、
様々な食品の種類と、食品の種類毎の摂取量に対する糖質量の比である糖質比とを予め記憶させた第２のメモリを備え、
入力部は、栄養量として、摂取食品の種類と、摂取食品の摂取量および摂取カロリーの少なくとも一方とを検出可能であり、
第１の演算部は、入力部が検出した摂取食品の種類に対応する糖質比を第２のメモリから読出し、摂取量および摂取カロリーの少なくとも一方と糖質比とに基づいて摂取食品の糖質量を算出する
ことを特徴とする。
【００１２】
また、本発明の報知システムにおいて、報知部は報知内容を画像で表示するモニタを含むことを特徴とする。および／または、本発明の報知システムにおいて、報知部は報知内容を音声で発するスピーカを含むことを特徴とする。
【００１３】
また、本発明の報知システムにおいて、比較部による比較の実行間隔は調整可能であることを特徴とする。あるいは、本発明の報知システムにおいて、入力部では、摂取食品の種類を検出可能であり、比較部による比較の実行間隔は摂取食品の種類によって調整されることを特徴とする。
【００１４】
また、本発明による活動量計は、
測定対象者の摂取食品の栄養量の入力を検出する入力部と、
入力部に設定される標本期間中に検知された栄養量に基づく摂取食品の糖質量を、積算して積算糖質量を算出する第１の演算部と、
測定対象者の身体の体動を検出する体動センサと、
体動センサが検出した体動に基づいて、測定対象者の消費カロリーを算出する第２の演算部と、
第２の演算部に算出される標本期間中の消費カロリーを、積算して積算消費カロリーとして算出する第３の演算部と、
積算消費カロリーと積算糖質量とを比較する比較部と、
積算消費カロリーと積算糖質量との比較結果を測定対象者に報知する報知部とを有する報知システムを備える
ことを特徴とする。
【発明の効果】
【００１５】
上記のように構成された本発明に係る報知システムおよび活動量計によれば、積算糖質量と積算消費カロリーの比較に基づいて脂肪を燃焼しているか否かを判別できるので、ユーザに燃焼しているエネルギーを認識させることが可能である。
【図面の簡単な説明】
【００１６】
【図１】本発明の一実施形態に係る報知システムを有する活動量計の概略構成を示すブロック図である。
【図２】第１のメッセージを含む現状報知画像を表示している状態を示す平面図である。
【図３】第２のメッセージを含む現状報知画像を表示している状態を示す平面図である。
【図４】消費した脂肪量を表示している状態を示す平面図である。
【図５】長期収支報知画像を表示している状態を示す平面図である。
【図６】初期情報入力処理において、制御部が実行する処理を示すフローチャートである。
【図７】始期決定処理において、制御部が実行する処理を示すフローチャートである。
【図８】積算糖質量算出処理において、制御部が実行する処理を示す第１のフローチャートである。
【図９】積算糖質量算出処理において、制御部が実行する処理を示す第２のフローチャートである。
【図１０】収支表示処理において、制御部が実行する処理を示す第１のフローチャートである。
【図１１】収支表示処理において、制御部が実行する処理を示す第２のフローチャートである。
【発明を実施するための形態】
【００１７】
以下、本発明を適用した報知システムの実施形態について、図面を参照して説明する。図１は、本発明の第１の実施形態に係る報知システムを備える活動量計の概略構成を示すブロック図である。
【００１８】
活動量計１０は、ＥＥＰＲＯＭ１１（第２のメモリ）、タイマ１２、ＳＤＲＡＭ１３（第１のメモリ）、制御部１４、入力部１５、第１の演算部１６、３軸加速度センサモジュール１７（体動センサ）、第２の演算部１８、第３の演算部１９、比較部２０、および表示部２１（報知部）などを含んで構成される。
【００１９】
ＥＥＰＲＯＭ１１は、活動量計１０の多様な機能を実行するために必要で、予め定められる情報を記憶する。例えば、多様な種類の食品名と、食品毎の重量および総カロリーあたりの糖質の比率（糖質比）が記憶される。
【００２０】
タイマ１２は、例えば、製造時および活動量計１０の初回駆動時などの特定の時期を、検出開始時期として検出開始時間からの経過時間を検出する。後述するように、検出された時間は、様々な処理に用いられる。
【００２１】
ＳＤＲＡＭ１３は、後述するように、ユーザの個人情報、糖質量、積算糖質量、消費カロリー、積算消費カロリー、エネルギー収支を記憶する。なお、後述するように、これらの値は、必要に応じて書換えられ、消去される。
【００２２】
入力部１５は、複数のボタンなどを含んで構成される。後述するように、活動量計１０は複数の動作モードを有しており、入力部１５は各動作モードにおけるユーザの操作に応じた入力内容を検出する。
【００２３】
入力部１５は、後述するように、例えば、ユーザの摂取食品の栄養量、年齢と性別と体脂肪率などのユーザの個人情報、および動作モードの切替指示を検出する。入力部１５は、栄養量を検出するときには、制御部１４を介して栄養量を第１の演算部１６に伝達する。また、入力部１５は、ユーザの個人情報を検出するときには、制御部１６を介してＳＤＲＡＭ１３に記憶させる。また、入力部１５は、動作モードの切替指示を検出するときには、制御部１４に伝達する。
【００２４】
第１の演算部１６は、入力部１５に検出された栄養量に基づいて、摂取食品の糖質量を算出する。さらに、第１の演算部１６は、制御部１４を介して積算糖質量をＳＤＲＡＭ１３から読出す。また、第１の演算部１６は、算出した糖質量を、読出した積算糖質量に加算する。また、第１の演算部１６は、制御部１４を介して、新たな積算糖質量をＳＤＲＡＭ１３に記憶させる。
【００２５】
なお、後述するように、栄養量は複数の形式で入力可能であり、入力される栄養量が糖質量そのものである場合には、第１の演算部１６は、糖質量の算出をすることなく、積算糖質量に加算する。
【００２６】
３軸加速度センサモジュール１７は、互いに垂直な３方向に沿った活動量計１０の加速度を検出するセンサである。なお、活動量計１０はユーザに装着されるので、活動量計１０の３方向の加速度は、ユーザの３方向の体動として検出される。３軸加速度センサモジュール１７は、制御部１４を介して、３方向毎の加速度を第２の演算部１８に伝達する。
【００２７】
第２の演算部１８は、ＳＤＲＡＭ１３から読出したユーザの個人情報と、３軸加速度センサモジュール１７が検出した３方向の加速度に基づいて、ユーザの消費カロリーを算出する。なお、３方向の加速度およびユーザの個人情報に基づく従来公知の算出方法を用いて、消費カロリーが算出される。第２の演算部１８は消費カロリーを、例えば１分毎に算出する。また、第２の演算部１８は、制御部１４を介して、算出した消費カロリーを第３の演算部１９に伝達する。
【００２８】
第３の演算部１９は、第２の演算部１８から消費カロリーが伝達されると、ＳＤＲＡＭ１３から積算消費カロリーを読出す。第３の演算部１９は、消費カロリーを積算消費カロリーに加算する。第３の演算部１９は、制御部１４を介して、算出した積算消費カロリーをＳＤＲＡＭ１３に記憶させる。
【００２９】
比較部２０は、積算糖質量および積算消費カロリーをＳＤＲＡＭ１３から読出し、比較する。具体的には、積算糖質量から積算消費カロリーを減じたエネルギー収支を算出する。比較部２０は、エネルギー収支を制御部１４に伝達する。
【００３０】
表示部２１は例えば液晶モニタであり、様々な種類の画像を表示することが可能である。例えば、動作モードを切替えることにより、例えば個人情報入力画像、始期入力画像、直接入力画像、簡易入力画像、現状報知画像、および長期収支報知画像などを表示することが可能である。詳細については、後述する。
【００３１】
制御部１４は、ＥＥＰＲＯＭ１１、タイマ１２、ＳＤＲＡＭ１３、入力部１５、第１の演算部１６、３軸加速度センサモジュール１７、第２の演算部１８、第３の演算部１９、比較部２０、および表示部２１間の情報および指令の伝達および各部位の動作を制御する。
【００３２】
次に、活動量計１０の動作モード毎に実行される機能について、詳細に説明する。活動量計１０は、動作モードとして、初期設定モード、開始時期設定モード、栄養量入力モード、現状表示モードを有する。
【００３３】
活動量計１０の初期設定モードにおいて、ユーザはユーザの個人情報を入力可能である。動作モードが初期設定モードである場合に、制御部１４は、個人情報入力画像を表示部２１に表示させる。個人情報入力画像の表示中における入力によって、入力部１５はユーザの個人情報を検出し、制御部１４に伝達する。制御部１４は個人情報をＳＤＲＡＭ１３に記憶させる。
【００３４】
活動量計１０の開始時期設定モードにおいて、エネルギー収支の算出の開始時期を入力可能である。動作モードが開始時期設定モードである場合には、制御部１４は始期入力画像を表示部２１に表示させる。始期入力画像の表示中の入力によって、入力部１５はエネルギー収支の測定の始期を検出し、制御部１４に伝達する。制御部１４は、測定の始期をＳＤＲＡＭ１３に記憶させる。なお、始期入力画像の表示中には、新規に栄養量を入力したときを測定の始期に自動的に定めるように設定することも可能である。
【００３５】
測定の始期が定められると、制御部１４は標本期間を設定する。標本期間とは、糖質量および消費カロリーを積算させる期間である。なお、標本期間は、総標本期間と部分標本期間とに分けられる。制御部１４は、定められる測定の始期から現在までの期間を総標本期間に定める。さらに、制御部１４は、総標本期間を、始期から所定の時間間隔、例えば１日に分割することによって部分標本期間を定める。
【００３６】
活動量計１０の栄養量入力モードにおいて、ユーザは摂取した食品の栄養量を入力可能である。動作モードが栄養量入力モードである場合に、制御部１４は簡易入力画像および直接入力画像のいずれか一方を表示部２１に表示させる。なお、ユーザの選択指示の入力によりいずれか一方の画像表示を選択可能である。
【００３７】
簡易入力画像の表示中には、入力部１５は、摂取食品の種類と摂取量または摂取カロリーと摂取時刻とを検出し、制御部１４を介して、第１の演算部１６に伝達する。制御部１４は、摂取食品の種類に対応する糖質比をＥＥＰＲＯＭ１１から読出し、第１の演算部１６に伝達する。第１の演算部１６は、摂取量または摂取カロリーと、糖質費とに基づいて、糖質量を算出する。
【００３８】
第１の演算部１５が糖質量を算出すると、制御部１４は現在を含む部分標本期間に対応する積算糖質量をＳＤＲＡＭ１３から読出し、第１の演算部１５に伝達する。なお、現在を含む部分標本期間の積算糖質量がＳＤＲＡＭ１３に記憶されていない場合には、制御部１４は値がゼロである積算糖質量を第１の演算部１５に伝達する。
【００３９】
第１の演算部１５は、算出された糖質量を、伝達された積算糖質量に積算する。制御部１４は、第１の演算部１５により新たに算出された積算糖質量を、現在を含む部分標本期間に対応付けてＳＤＲＡＭ１３に記憶させる。
【００４０】
直接入力画像において、ユーザは摂取食品の糖質量を直接入力可能である。直接入力画像の表示中の入力によって、入力部１５は摂取食品の糖質量を検出する。制御部１４は入力部１５が検出した糖質量を第１の演算部１６に伝達する。また、制御部１４は、現在を含む部分標本期間の積算糖質量をＳＤＲＡＭ１３から読出し、第１の演算部１６に伝達する。
【００４１】
第１の演算部１６は、伝達された糖質量を、伝達された積算糖質量に積算する。制御部１４は、第１の演算部１６により新たに算出された積算糖質量を、現在を含む部分標本期間に対応付けてＳＤＲＡＭ１３に記憶させる。
【００４２】
活動量計１０の現状表示モードにおいて、ユーザは自身の糖質類の摂取と消費の収支および自身の脂肪燃焼が開始されているか否かを認識することが可能である。動作モードが現状表示モードである場合に、制御部１４は、以下に説明するように、ユーザの体動の検出、消費カロリーの算出、積算消費カロリーの算出、エネルギー収支の算出、ＳＤＲＡＭ１３への格納、および脂肪燃焼の判別を実行し、これらの動作の実行により更新される現在状態表示画像を表示部２１に表示させる。
【００４３】
制御部１４は、例えば１分毎に、３軸加速度センサモジュール１７に３方向の加速度を検出させ、受信する。加速度を受信すると、制御部１４はユーザの個人情報をＳＤＲＡＭ１３から読出し、加速度とともに、第２の演算部１８に伝達する。
【００４４】
第２の演算部１８は、加速度および個人情報に基づいてユーザの消費カロリーを算出する。制御部１４は、第２の演算部１８が消費カロリーを算出すると、現在を含む部分標本期間の積算消費カロリーをＳＤＲＡＭ１３から読出して、消費カロリーとともに第３の演算部１９に伝達する。なお、現在を含む部分標本期間の積算消費カロリーがＳＤＲＡＭ１３に記憶されていない場合には、制御部１４は値がゼロである積算消費カロリーを第３の演算部１９に伝達する。
【００４５】
第３の演算部１９は、伝達された消費カロリーを、伝達された積算消費カロリーに積算する。制御部１４は、第３の演算部１９により新たに算出された積算消費カロリーを、現在を含む部分標本期間に対応付けてＳＤＲＡＭ１３に記憶させる。
【００４６】
制御部１４は、所定の時間間隔、例えば、５分間隔で、現在を含む部分標本期間の積算糖質量と積算消費カロリーとをＳＤＲＡＭ１３から読出して、比較部２０に伝達する。比較部２０は、積算糖質量から積算消費カロリーを減じることにより、エネルギー収支を算出する。制御部１４は、比較部２０が算出したエネルギー収支を、現在を含む部分標本期間に対応付けてＳＤＲＡＭ１３に記憶させる。
【００４７】
制御部１４は、現在を含む部分標本期間のエネルギー収支のＳＤＲＡＭ１３への記憶後、現在を含む部分標本期間のエネルギー収支と、総標本期間のエネルギー収支をＳＤＲＡＭ１３から読出し、比較部２０に伝達する。なお、総標本期間のエネルギー収支がＳＤＲＡＭ１３に記憶されていない場合には、制御部１４は値がゼロであるエネルギー収支を、総標本期間のエネルギー収支として比較部２０に伝達する。
【００４８】
比較部２０は、現在を含む部分標本期間のエネルギー収支を、総標本期間のエネルギー収支に積算する。制御部１４は、比較部２０により新たに算出されたエネルギー収支を、総標本期間に関連付けてＳＤＲＡＭ１３に記憶させる。
【００４９】
制御部１４は、エネルギー収支をＳＤＲＡＭ１３に記憶させると、総標本期間のエネルギー収支をＳＤＲＡＭ１３から読出す。さらに、制御部１４は読出したエネルギー収支が正であるか否かを判別する。
【００５０】
正である場合には、制御部１４は、脂肪がまだ燃焼されていないこと、および燃焼開始までに消費する必要なエネルギー（総標本期間のエネルギー収支）を報知する第１のメッセージを含む現状報知画像を表示部２１に表示させる（図２参照）。エネルギー収支が負である場合には、制御部１４は、脂肪が燃焼されていること、および脂肪の燃焼に用いられたエネルギーの量（エネルギー収支）を報知する第２のメッセージを含む現状報知画像を表示部２１に表示させる（図３参照）。なお、エネルギー収支が負である場合には、燃焼により消費した脂肪量を表示することも可能である（図４参照）。
【００５１】
現状表示モードでは、部分標本期間別に、エネルギー収支を表示することが可能である。現状報知画像の表示中に、ユーザは長期収支報知画像への切替指示を入力可能である。入力部１５が長期収支報知画像への切替指示を検出すると、制御部１４はＳＤＲＡＭ１３に記憶させた全部分標本期間のエネルギー収支を読出す。制御部１４は、部分標本期間別のエネルギー収支のグラフを含む長期収支報知画像を表示部２１に表示させる（図５参照）。
【００５２】
次に、初期設定モードにおいて制御部１４が実行する初期情報入力処理について、図６のフローチャートを用いて説明する。初期情報入力処理は、ユーザによる初期設定モードへの切替操作を入力部１５が検出するときに開始する。
【００５３】
ステップＳ１００では、制御部１４は、個人情報入力画像を表示部２１に表示させる。個人情報入力画像を表示するとステップＳ１０１に進み、制御部１４は、入力部１５がユーザによる個人情報の入力操作を検出しているか否かを判別する。
【００５４】
個人情報の入力操作を検出していない場合には、ステップＳ１００に戻り検出されるまでステップＳ１００およびステップＳ１０１を繰返す。個人情報の入力操作を検出すると、ステップＳ１０２に進む。ステップＳ１０２では、制御部１４は、入力部１５が検出したユーザの個人情報をＳＤＲＡＭ１３に記憶させる。ＳＤＲＡＭ１３への個人情報の格納後、初期情報入力処理を終了する。
【００５５】
次に、開始時期設定モードにおいて制御部が実行する始期決定処理について、図７のフローチャートを用いて説明する。始期決定処理は、ユーザによる開始時期設定モードへの切替操作を入力部１５が検出するときに開始する。
【００５６】
ステップＳ２００では、制御部１４は、測定始期設定フラッグＦｓｔを０にリセットする。測定始期フラッグＦｓｔのリセット後のステップＳ２０１では、制御部１４は、始期入力画像を表示部２１に表示させる。始期入力画像を表示するとステップＳ２０２に進み、制御部１４は、入力部１５がユーザによる測定始期の入力操作を検出しているか否かを判別する。
【００５７】
測定始期が入力されている場合にはステップＳ２０３に進み、制御部１４は測定の始期をＳＤＲＡＭ１３に記憶させる。ＳＤＲＡＭ１３への記憶後、始期決定処理を終了する。
【００５８】
一方、測定の始期が入力されていない場合には、ステップＳ２０４に進み、制御部１４は、入力部１５がユーザによる測定始期を自動的に設定する自動設定機能をＯＮにする入力操作を検出しているか否かを判別する。入力操作を検出していない場合には、ステップＳ２０１に戻る。入力操作を検出している場合には、測定始期設定フラッグＦｓｔを１に変える。測定始期設定フラッグの変更後、始期決定処理を終了する。
【００５９】
次に、栄養量入力モードにおいて制御部が実行する積算糖質量算出処理について、図８、図９のフローチャートを用いて説明する。積算糖質量算出処理は、ユーザによる栄養量入力モードへの切替操作を入力部１５が検出するときに開始する。
【００６０】
ステップＳ３００では、制御部１４は、入力部１５が直接入力を選択する操作入力および簡易入力を選択する操作入力のいずれを検出しているかを判別する。直接入力が選択されている場合には、ステップＳ３０１に進む。簡易入力が選択されている場合には、ステップＳ３０４に進む。
【００６１】
ステップＳ３０１では、制御部１４は、表示部２１に直接入力画像を表示させる。直接入力画像表示後にステップＳ３０２に進み、制御部１４は、入力部１５が糖質量の入力を検出しているか否かを判別する。入力を検出していない場合には、ステップＳ３０１に進む。入力を検出している場合には、ステップＳ３０３に進む。ステップＳ３０３では、制御部１４は、入力部１５が検出した糖質量を第１の演算部１６に伝達する。第１の伝達後、ステップＳ３０８に進む。
【００６２】
一方、ステップＳ３０４では、制御部１４は、表示部２１に簡易入力画像を表示させる。簡易入力画像の表示後にステップＳ３０５に進み、制御部１４は、入力部１５が摂取食品の種類と摂取量または摂取カロリーとの入力を検出しているか否かを判別する。摂取食品の種類などが入力されていない場合には、ステップＳ３０４に戻る。摂取食品の種類などが入力されている場合には、ステップＳ３０６に進む。
【００６３】
ステップＳ３０６では、制御部１４は、ステップＳ３０５において入力された摂取食品に対応する糖質比をＳＤＲＡＭ１３から読出し、第１の演算部１６に伝達する。また、制御部１４は、ステップＳ３０５において入力された摂取量または摂取カロリーを第１の演算部１６に伝達する。第１の演算部１６への伝達後、ステップＳ３０７に進む。
【００６４】
ステップＳ３０７では、制御部１４は、糖質比と摂取量または摂取カロリーとに基づいて糖質量を第１の演算部１６に算出させる。糖質量の算出後、ステップＳ３０８に進む。
【００６５】
ステップＳ３０３またはステップＳ３０７の処理後のステップＳ３０８では、測定開始設定フラッグＦｓｔが０であるか否かを判別する。測定開始設定フラッグＦｓｔが０である場合にはステップＳ３０９に進み、制御部１４は測定始期をＳＤＲＡＭ１３から読出し、ステップＳ３１０に進む（図９参照）。一方、測定開始設定フラッグＦｓｔが０でない場合にはステップＳ３０９をスキップしてステップＳ３１０に進む。
【００６６】
ステップＳ３１０では、制御部１４はタイマ１２から現在時刻を取得する。現在時刻の取得後、ステップＳ３１１に進む。
【００６７】
ステップＳ３１１では、制御部１４は、現在時刻に対応する積算糖質量、すなわち現在時刻を含む標本期間に関連付けられた積算糖質量がＳＤＲＡＭ１３に記憶されているか否かを判別する。記憶されている場合には、ステップＳ３１２に進む。記憶されていない場合には、ステップＳ３１３に進む。
【００６８】
ステップＳ３１２では、制御部１４は、現在時刻に対応する積算糖質量をＳＤＲＡＭ１３から読出す。一方、ステップＳ３１３では、制御部１４は、値がゼロである積算糖質量を作成する。ステップＳ３１２またはステップＳ３１３の終了後、ステップＳ３１４に進む。
【００６９】
ステップＳ３１４では、制御部１４は、積算糖質量を第１の演算部１６に伝達する。第１の演算部１６への伝達後のステップＳ３１５では、制御部１４は、第１の演算部１６に新たな積算糖質量を算出させる。なお、第１の演算部１６は、ステップＳ３０３で伝達された糖質量およびステップＳ３０７で算出された糖質量の一方を、ステップＳ３１４で伝達された積算糖質量に積算することにより、新たな積算糖質量を算出する。積算糖質量の算出後、ステップＳ３１６に進む。
【００７０】
ステップＳ３１６では、制御部１４は、新たに算出した積算糖質量を、現在時刻を含む標本期間に関連付けてＳＤＲＡＭ１３に記憶させる。ＳＤＲＡＭ１３への積算糖質量の記憶後、積算糖質量算出処理を終了する。
【００７１】
次に、現状表示モードにおいて制御部１４が実行する収支表示処理について、図１０、図１１のフローチャートを用いて説明する。収支表示処理は、ユーザによる現状表示モードへの切替操作を入力部１５が検出するときに開始する。また、収支表示処理は、他の動作モードに切替えられるときに終了する。
【００７２】
ステップＳ４００では、制御部１４は、３軸加速度センサモジュール１７から、３方向の加速度を検出させ、第２の演算部１８に伝達する。加速度の伝達後のステップＳ４０１では、制御部１４は個人情報をＳＤＲＡＭ１３から読出して、第２の演算部１８に伝達する。個人情報の伝達後のステップＳ４０２では、制御部１４は、第２の演算部１８にユーザの消費カロリーを算出させる。さらに、制御部１４は算出させた消費カロリーを第３の演算部１９に伝達する。消費カロリーの伝達後のステップＳ４０３では、制御部１４はタイマ１２から現在時刻を取得する。現在時刻の取得後、ステップＳ４０４に進む。
【００７３】
ステップＳ４０４では、制御部１４は、現在時刻に対応する積算消費カロリー、すなわち現在時刻を含む標本期間に関連付けられた積算消費化カロリーがＳＤＲＡＭ１３に記憶されているか否かを判別する。記憶されている場合には、ステップＳ４０５に進む。記憶されていない場合には、ステップＳ４０６に進む。
【００７４】
ステップＳ４０５では、制御部１４は、現在時刻に対応する積算消費化カロリーをＳＤＲＡＭ１３から読出す。一方、ステップＳ４０６では、制御部１４は、値がゼロである積算消費カロリーを作成する。ステップＳ４０５またはステップＳ４０６の終了後、ステップＳ４０７に進む。
【００７５】
ステップＳ４０７では、制御部１４は、積算消費カロリーを第３の演算部１９に伝達する。第３の演算部１９への伝達後のステップＳ４０８では、制御部１４は、第３の演算部１９に新たな積算消費カロリーを算出させる。なお、第３の演算部１９は、ステップＳ４０２で伝達された消費カロリーを、ステップＳ４０７で伝達された積算消費カロリーに積算することにより、新たな積算消費カロリーを算出する。積算消費カロリーの算出後、ステップＳ４０９に進む。
【００７６】
ステップＳ４０９では、制御部１４は、新たに算出した積算消費カロリーを、現在時刻を含む部分標本期間に関連付けてＳＤＲＡＭ１３に記憶させる。ＳＤＲＡＭ１３への積算消費カロリーの記憶後、ステップＳ４１０に進む。
【００７７】
ステップＳ４１０では、制御部１４は、以前にエネルギー収支を算出（ステップＳ４１２）してから５分経過しているか否かを判別する。なお、現状表示モードへの切替後エネルギー収支を算出していない場合には、現状表示モードへの切替後５分経過しているか否かを判別する。
【００７８】
５分経過していない場合には、ステップＳ４００に戻る。以後、５分経過するまで、ステップＳ４００〜ステップＳ４１０を繰返す。５分経過している場合には、ステップＳ４１１に進む。
【００７９】
ステップＳ４１１では、制御部１４は、現在を含む部分標本期間の積算糖質量および積算消費カロリーをＳＤＲＡＭ１３から読出して、比較部２０に伝達する。比較部２０への伝達後のステップＳ４１２では、制御部１４は、比較部２０にエネルギー収支を算出させる。エネルギー収支の算出後のステップＳ４１３では、制御部１４は、比較部２０に算出させたエネルギー収支を、現在を含む部分標本期間に対応付けてＳＤＲＡＭ１３に記憶させる。エネルギー収支の記憶後のステップＳ４１４では、制御部１４は、現在を含む部分標本期間のエネルギー収支をＳＤＲＡＭ１３から読出す。エネルギー収支を読み出すと、ステップＳ４１５に進む。
【００８０】
ステップＳ４１５では、制御部１４は、総標本期間に関連付けられたエネルギー収支がＳＤＲＡＭ１３に記憶されているか否かを判別する。記憶されている場合には、ステップＳ４１６に進む。記憶されていない場合には、ステップＳ４１７に進む。
【００８１】
ステップＳ４１６では、制御部１４は、総標本期間に対応するエネルギー収支をＳＤＲＡＭ１３から読出し、比較部２０に伝達する。一方、ステップＳ４１７では、制御部１４は、値がゼロであるエネルギー収支を作成し、比較部２０に伝達する。ステップＳ４１６またはステップＳ４１７における比較部２０への伝達後、ステップＳ４１８に進む。
【００８２】
ステップＳ４１８では、制御部１４は、比較部２０に総標本期間のエネルギー収支を更新させる。なお、比較部２０は、ステップＳ４１４で伝達されたエネルギー収支を、ステップＳ４１６またはステップＳ４１７において伝達されたエネルギー収支に積算することにより、総標本期間のエネルギー収支を更新する。総標本期間のエネルギー収支の更新後、ステップＳ４１９に進む。
【００８３】
ステップＳ４１９では、制御部１４は、ステップＳ４１８において比較部２０によって更新されたエネルギー収支を、総標本期間に関連付けてＳＤＲＡＭ１３に記憶させる。エネルギー収支の記憶後、ステップＳ４２０に進む。
【００８４】
ステップＳ４２０では、制御部１４は、現状報知画像および長期収支画像のいずれを表示が選択されているかを判別する。表示する画像は、現状表示モードにおいて、ユーザによる画像の切替入力に応じて選択される。
【００８５】
長期収支報知画像が選択されている場合には、ステップＳ４２１に進む。現状報知画像が選択されている場合には、ステップＳ４２２に進む。
【００８６】
ステップＳ４２１では、制御部１４は、部分標本期間のエネルギー収支をＳＤＲＡＭ１３から読出して、標本期間別のエネルギー収支をグラフ状にして表す長期収支報知画像を作成する。さらに、制御部１４は、作成した長期収支報知画像を表示部２１に表示させる。長期収支報知画像を表示すると、ステップＳ４００に戻る。
【００８７】
ステップＳ４２２では、制御部１４は、総標本期間のエネルギー収支をＳＤＲＡＭ１３から読出して、比較部２０に伝達する。比較部２０への伝達後のステップＳ４２３では、制御部１４は、伝達されたエネルギー収支がゼロより大きいか否かを判別する。
【００８８】
エネルギー収支がゼロより大きい場合にはステップＳ４２４に進み、制御部１４は、第１のメッセージを含む現状報知画像を作成し、表示部２１に表示させる。一方、エネルギー収支がゼロ以下の場合にはステップＳ４２５に進み、制御部１４は、第２のメッセージを含む現状報知画像を作成し、表示部２１に表示させる。現状報知画像を表示すると、ステップＳ４００に戻る。
【００８９】
以上のような構成の本実施形態の報知システムによれば、定められた測定始期以降のユーザの食品の摂取と体動とに基づいて、現在脂肪を燃焼しているか否かをユーザに報知することが可能である。
【００９０】
また、本実施形態の報知システムによれば、エネルギー収支が報知されるので、次の食事時の食品の摂取量を調整する判断材料をユーザは得ることが可能である。また、エネルギー収支が表示されるので、ご飯や特定のお菓子などのように、特定の食品の糖質を消費するのにどの程度の強度およびどの程度の期間の少なくとも一方が必要であるかを、ユーザが把握することが可能である。
【００９１】
また、本実施形態の報知システムによれば、摂取食品の種類と、摂取量または摂取カロリーから糖質量を算出することが可能である。ユーザにとって、摂取する様々な食品の糖質量を把握することは困難である。それゆえ、本実施形態では簡易な入力内容により糖質量を算出することが可能なので、食品毎の糖質量を調べる煩わしさからユーザを解放することが可能である。
【００９２】
なお、入力する摂取食品の種類は、肉、魚、卵などの食品そのものの種類でもよいし、チャーハン、焼きそばなどの料理の種類をであってもよい。また、入力する摂取食品の摂取量は、重量でもよいし、一皿などの食器や容器を単位とした量であってもよい。
【００９３】
また、本実施形態によれば、現状報知画像だけでなく長期収支報知画像を表示することが可能である。長期収支報知画像を表示することにより、例えば１日毎のエネルギー消費状態をユーザ自身の記憶と結び合わせることにより、ユーザは脂肪燃焼のために必要な食事制限量と必要な体動の目安を知ることが可能になる。
【００９４】
また、本実施形態によれば、エネルギー収支の算出の基準となる標本期間の始期を自動で、または手動入力により定めることが可能である。
【００９５】
栄養量の入力時などを、自動的に標本期間の始期に定める場合には、ユーザを始期の入力の煩雑さから解放することが可能である。例えば、自動的に始期を定める場合には、次の食事までの間のユーザのエネルギー燃焼状態を報知するのに有用である。
【００９６】
また、標本期間の始期を手動で入力することにより、ユーザの所望の期間におけるエネルギー収支を報知することが可能である。
【００９７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００９８】
例えば、上記の実施形態では、入力部１５に栄養量の入力を検出させる構成であるが、他の機器と連動させて入力することも可能である。例えば、重量または入力する食品と重量に基づく糖質量を測定可能な秤に、活動量計１０を接続することにより栄養量を入力可能であってもよい。または、パーソナルコンピュータや携帯電話に、活動量計を接続して栄養量を入力可能な構成であってもよい。
【００９９】
活動量計１０は衣類などを介してユーザに装着させることを想定しており、小型化および軽量化が求められる。それゆえ、入力部１５として設けられる部品の数や大きさに限りがあり、栄養量の入力が煩雑になることが考えられる。しかし、上述のように、他の機器と接続して入力可能であれば、ユーザは容易に栄養量を入力可能である。
【０１００】
また、本実施形態では、比較部２０におけるエネルギー収支の計算を５分おきに実行する構成であるが、５分に限定されないし、変更可能に構成してもよい。ユーザの手動入力により時間間隔を変更する構成であってもよいし、摂取食品に応じて自動的に時間間隔を変更する構成であってもよい。例えば、菓子や軽食などの摂取後は、自身のエネルギー燃焼状態を頻繁に知ることが望まれる。例えば、エネルギー収支の計算を３分おきに実行させ、より時宜にかなった燃焼状態を報知することが可能となる。
【０１０１】
また、本実施形態では、表示部２１に画像を表示することにより、エネルギーの燃焼状態およびエネルギー収支を報知する構成であるが、例えばスピーカを用いて音声によって報知する構成であってもよい。また、画像の表示と音声とを組合わせて、ユーザにエネルギー燃焼状態を報知する構成であってもよい。
【符号の説明】
【０１０２】
１０  活動量計
１１  ＥＥＰＲＯＭ
１３  ＳＤＲＡＭ
１４  制御部
１５  入力部
１６  第１の演算部
１７  ３軸加速度センサモジュール
１８  第２の演算部
１９  第３の演算部
２０  比較部
２１  表示部
【図１】
0005825594.tif 000002
【図２】
0005825594.tif 000003
【図３】
0005825594.tif 000004
【図４】
0005825594.tif 000005
【図５】
0005825594.tif 000006
【図６】
0005825594.tif 000007
【図７】
0005825594.tif 000008
【図８】
0005825594.tif 000009
【図９】
0005825594.tif 000010
【図１０】
0005825594.tif 000011
【図１１】
0005825594.tif 000012